Podtech/llm-jp-corpus-v4-ja_patent huggingface dataset:
【手続補正書】
【提出日】平成18年4月21日(2006.4.21)
【手続補正１】
【補正対象書類名】明細書
【補正対象項目名】００１７
【補正方法】変更
【補正の内容】
【００１７】
麦焼酎蒸留粕を減圧濃縮装置により乾燥させて得た焼酎粕乾燥固形物を粉砕機により粉末にする。
麦焼酎粕乾燥固形物粉末              ６７部    （重量比）
広葉樹木材オガ屑                    ３３部
チアミン                        ０．０４部
これらを撹拌機に投入して撹拌し、ついで水を少しづつ加えて含水率が５８．１％、ＰＨ５．４の培地素材を作る。
上記培地素材をキノコ栽培用袋、びん等の容器に詰め、ついで高圧滅菌釜にて１２０℃で３時間滅菌処理し、ついで培地の温度を室温まで下げる。含水率６０％、ＰＨ５．６であった。無菌室にて上記培地にブナシメジの種菌を接種し、ついで、２１℃の養生室において菌糸を一定期間培養し、ついで１７℃程度、湿度９０％の部屋に容器を移し、そこで芽だしを行い、子実体（キノコ本体）の形成を行う。
【手続補正２】
【補正対象書類名】明細書
【補正対象項目名】００１８
【補正方法】変更
【補正の内容】
【００１８】
上記栽培において、ブナシメジの菌糸の生長は極めて早く、栽培９０日目にキノコを収穫できた。
【手続補正３】
【補正対象書類名】明細書
【補正対象項目名】００１９
【補正方法】変更
【補正の内容】
【００１９】
カンショ焼酎粕乾燥固形物粉末        ６４部    （重量比）
針葉樹木材オガ屑                    ２８部
木炭粉末                            ４部
貝ガラ粉末                          ４部
チアミン                      ０．０４部
これらを撹拌し、ついで水を加えて含水率６３％、ＰＨ４．４の培地素材をつくり、これを栽培用容器に詰めて上例と同様に滅菌処理した。含水率６１．５％、ＰＨ５．５８であった。これにヒラタケ種菌を接種し、以下上例と同様に栽培を行った。
【手続補正４】
【補正対象書類名】明細書
【補正対象項目名】００２０
【補正方法】変更
【補正の内容】
【００２０】
菌糸の生長は早く、栽培３２日目でキノコを収穫できた。
【手続補正５】
【補正対象書類名】明細書
【補正対象項目名】００２１
【補正方法】変更
【補正の内容】
【００２１】
麦焼酎粕乾燥固形物粉末              ７０部    （重量比）
針葉樹木材オガ屑                    ２６部
竹炭粉末                              ４部
チアミン                        ０．０４部
これらを撹拌し、水を加えて含水率６２％、ＰＨ４．０の培地素材をつくり、これを栽培用容器に詰めて滅菌処理し、含水率６０．２％、ＰＨ６．３の培地として、これにヒラタケ種菌を接種し、以下上例と同様に栽培を行った。
【手続補正６】
【補正対象書類名】明細書
【補正対象項目名】００２３
【補正方法】変更
【補正の内容】
【００２３】
麦焼酎粕乾燥固形物粉末              ４０部    （重量比）
針葉樹木材オガ屑                    ５２部
竹炭粉末                              ４部
貝化石                                ４部
チアミン                        ０．０４部
これらを撹拌し、水を加えて含水率６０％、ＰＨ４．９の培地素材をつくり、これを容器に詰めて滅菌処理し、含水率５９．２％、ＰＨ５．７の培地素材とし、これにナメコ種菌を接種し、以下同様に栽培を行う。
【手続補正書】
【提出日】平成18年7月7日(2006.7.7)
【手続補正１】
【補正対象書類名】明細書
【補正対象項目名】０００６
【補正方法】変更
【補正の内容】
【０００６】
一方、上記外輪１の内端部外周面に、金属板をプレス成形する事により、断面が略Ｌ字形で全体を円環状に造ったカバー１９を外嵌固定している。そして、このカバー１９の内側に回転検出センサ２０を支持している。この回転検出センサ２０は、合成樹脂２１に包埋した状態でその検出部を、上記エンコーダとして機能する、上記芯金２６の外径側半部の内側面に対向させている。上記回転検出センサ２０は、軸方向（図７の左右方向）に亙って着磁した永久磁石２２と、ホールＩＣ、磁気抵抗素子等の磁気検出素子２３とから成る。そして、上記回転検出センサ２０の信号を、ハーネス２４により、ＡＢＳやＴＣＳを制御する為に車体側に設けた、図示しない制御器に送れる様にしている。
【手続補正２】
【補正対象書類名】図面
【補正対象項目名】図７
【補正方法】変更
【補正の内容】
【図７】
2005030547.tif 000001
【手続補正書】
【提出日】平成18年5月26日(2006.5.26)
【手続補正１】
【補正対象書類名】特許請求の範囲
【補正対象項目名】請求項８
【補正方法】変更
【補正の内容】
【請求項８】
前記内燃機関は２気筒内燃機関であり、
前記リラクタは、３以上設けられて該３以上のリラクタのうちの２つは前記内燃機関の２つの気筒にそれぞれ対応させて設けられたリラクタであり、
前記２つのリラクタは、それぞれの極弧角を同一として対称位置に配置され、
前記対称位置に配置された２つのリラクタは、それぞれの周方向の両端のエッジが、それぞれのリラクタが対応する気筒の上死点に対応するクランク角位置の前後の位置で前記第１の信号発生器により検出されるように配置されていること、
を特徴とする請求項１ないし４のいずれか１つに記載の内燃機関用信号発生装置。
【手続補正書】
【提出日】平成18年3月14日(2006.3.14)
【手続補正１】
【補正対象書類名】特許請求の範囲
【補正対象項目名】全文
【補正方法】変更
【補正の内容】
【特許請求の範囲】
【請求項１】
固定スクロールと旋回スクロールで作動室を構成し、電動機の動力をシャフトを介して自転防止機構を装着した旋回スクロールに伝達して駆動する旋回駆動方式のスクロール流体機械において、
（１）１か所の転がり軸受ないしは軸受幅が軸直径の１／２以下のすべり軸受で支えられた主軸とこの主軸に対して中心が偏心し旋回スクロールの旋回軸受に挿入される旋回軸とを一体とした駆動軸を設ける。
（２）該駆動軸と分離されおよそ１本の円柱で形成されたモ−タ軸を該駆動軸片側の主軸部円筒内に同心円で形成した取付穴の中に勘合隙間を設けて直径の数倍以上の深さまで挿入すると同時に回り止めをして連結する。
（３）駆動軸の旋回軸とフレ−ムに設けた主軸受との間で主軸に対する旋回軸の反偏心方向に遠心力が作用するように主重錘を駆動軸に装着する。
（４）フレ−ムに設けた主軸受を挟んで主重錘の反対側で主重錘の反対側に遠心力が作用するように副重錘を駆動軸に装着する。
以上で構成されたことを特徴とするスクロール流体機械の軸構造。
【請求項２】
駆動軸の取付穴に挿入されたモ−タ軸と駆動軸との間に、それらの軸間の勘合隙間内でモ−タ軸に対して駆動軸が傾斜して旋回軸の偏心量すなわち旋回半径が拡大する方向に力が作用するようにバネを装着して構成したことを特徴とする請求項１のスクロール流体機械の軸構造。
【請求項３】
固定スクロールと旋回スクロールで作動室を構成し、電動機の動力をシャフトを介して自転防止機構を装着した旋回スクロールに伝達して駆動する旋回駆動方式のスクロール流体機械において、
（１）１か所の転がり軸受ないしは軸受幅が軸直径の１／２以下のすべり軸受で支えられた主軸とこの主軸に対して中心が偏心し旋回スクロールの旋回軸受に挿入される旋回軸とを一体とした駆動軸を設ける。
（２）該駆動軸と分離されおよそ１本の円柱で形成されたモ−タ軸を該駆動軸片側の主軸部円筒内に同心円で形成した取付穴の中に勘合隙間を設けて直径の数倍以上の深さまで挿入すると同時に回り止めをして連結する。
（３）駆動軸の旋回軸とフレ−ムの主軸受との間で主軸に対する旋回軸の反偏心方向に遠心力が作用するように主重錘を該駆動軸に装着する。
（４）駆動軸の電動機側軸端部で主重錘の反対側に遠心力が作用するようにモ−タ軸ないしは電動機のロ−タに副重錘を装着する。
以上で構成されたことを特徴とするスクロール流体機械の軸構造。
【手続補正２】
【補正対象書類名】明細書
【補正対象項目名】０００８
【補正方法】変更
【補正の内容】
【０００８】
いずれの公知例も、駆動軸は主軸受で径方向は完全に位置決めされて旋回半径を可変とする機能はなく、駆動軸には旋回スクロールの遠心力と径方向のガス力が旋回軸の偏心方向に作用する構成となっている。
【手続補正３】
【補正対象書類名】明細書
【補正対象項目名】００１７
【補正方法】変更
【補正の内容】
【００１７】
上記従来の課題を解決する手段として、例えば特開２００１−２２１１７４号公報に記載された階段状のスクロール形状を適用したスクロール式ポンプに於いて、旋回スクロールのおよそ中央部ラップ内の狭隘な場所に設けた旋回軸受に装着した旋回軸と１か所の転がり軸受ないしは軸受幅が軸直径の１／２以下のすべり軸受で支えられた主軸を一体とした駆動軸を形成する。
【手続補正４】
【補正対象書類名】明細書
【補正対象項目名】００２０
【補正方法】変更
【補正の内容】
【００２０】
前記駆動軸とモータ軸で構成されるシャフトには旋回スクロ−ルの遠心力との釣り合いを取るための重錘を２か所設ける。１つの主重錘は旋回軸とフレ−ムの主軸受との間に設け、他の一つの副重錘は電動機側の駆動軸端部ないしはその端部と電動機との間に設ける。
【手続補正５】
【補正対象書類名】明細書
【補正対象項目名】００４１
【補正方法】変更
【補正の内容】
【００４１】
図１のＡ−Ａ断面図である図２に示されているように、旋回スクロール４の自転防止機構であるオルダムリング９が図１で示した旋回スラスト軸受６ｂの外側に配置され、そのリング形状は長径と短径の差がおよそ旋回半径に等しい楕円形をしている。
【手続補正６】
【補正対象書類名】明細書
【補正対象項目名】００４３
【補正方法】変更
【補正の内容】
【００４３】
その具体的な構成を図１、図３及び図４を用いて以下説明する。図１に対し反転して配置した駆動軸７の外観図である図４に示すように主軸部７ａ中心に対する旋回軸７ｂ中心の偏心量はおよそ作動室を形成するラップ形状から決まるおよそ旋回半径に等しい。
【手続補正７】
【補正対象書類名】明細書
【補正対象項目名】００５５
【補正方法】変更
【補正の内容】
【００５５】
運転当初は、吐出圧力と吸入圧力はおよそ等しいので、吐出圧力と吸入圧力の差に比例する径方向ガス力は殆ど０に等しく、駆動軸７の旋回半径方向にはバネ力のみが作用して駆動軸が勘合隙間内で傾斜することにより旋回半径が拡大する。
【手続補正８】
【補正対象書類名】明細書
【補正対象項目名】００５７
【補正方法】変更
【補正の内容】
【００５７】
吐出圧力が所定の圧力に達すると径方向ガス力が増大して駆動軸７の旋回半径方向の力は減少するが、モ−メントが作用する方向に変化は無いので駆動軸の勘合隙間内傾斜角度は変化しないで、ラップ側壁間隙間が０ないしは最小となって性能が高くラップ間接触に伴う騒音が殆ど無い状態が実現される。
【手続補正９】
【補正対象書類名】明細書
【補正対象項目名】００５８
【補正方法】変更
【補正の内容】
【００５８】
その駆動軸の旋回軸７ｂ偏心方向すなわち旋回半径方向に作用する力関係を図６に示す（ａ）の釣り合い型を用いて説明する。
【手続補正１０】
【補正対象書類名】明細書
【補正対象項目名】００５９
【補正方法】変更
【補正の内容】
【００５９】
旋回スクロール４の遠心力Ｆｃと主重錘の遠心力Ｆｍと副重錘の遠心力Ｆｓとの間の力及びモ−メントは釣り合っているので、見掛け上無いに等しい。残る力は径方向のガス力Ｆｒとバネ力Ｆｋである。
【手続補正１１】
【補正対象書類名】明細書
【補正対象項目名】００６４
【補正方法】変更
【補正の内容】
【００６４】
その駆動軸２７の旋回軸偏心方向すなわち旋回半径方向に作用する力関係を図６に示す（ｂ）の不釣り合い型を用いて説明する。駆動軸２７に作用する力は旋回スクロール２４の遠心力Ｆｃと主重錘３０の遠心力Ｆｍと径方向ガス力Ｆｒである。
【手続補正１２】
【補正対象書類名】明細書
【補正対象項目名】００６５
【補正方法】変更
【補正の内容】
【００６５】
起動時は吐出圧力と吸入圧力が等しくて殆どＦｒ＝０となり、残るＦｃとＦｍによるそれぞれの主軸受２７を支点とするそれぞれのモーメントＭｃとＭｍの差Ｍｃ−Ｍｍが正となるので、旋回半径を拡大する方向に駆動軸を傾斜させることになる。
【手続補正書】
【提出日】平成18年7月7日(2006.7.7)
【手続補正１】
【補正対象書類名】明細書
【補正対象項目名】００６４
【補正方法】変更
【補正の内容】
【００６４】
そして、コイルチューブ本体(５)の両面に、上記フィン部材(６)を接続するには、樹脂層(２)を熱溶融し、その表面に、他方の支持部材(16)の配設位置を避けて、この他方の支持部材(16)と同一長さとする複数のフィン部材(６)を順次配設する。これらのフィン部材(６)は、樹脂層(２)が冷却固化する際の樹脂材の接着力によっても、樹脂層(２)に接着されるものである。次に、他方の支持部材(16)を、コイルチューブ本体(５)の中央に、フィン部材(６)と平行に配設し、この他方の支持部材(16)とフィン部材(６)に十文字形に交差するよう、一方の支持部材(15)を配設する。そして、一方の支持部材(15)の両端と、一方及び他方の支持部材(15)(16)とが交差する中心部を、スペーサー(18)を介してボルト(17)にて接続する。
【手続補正２】
【補正対象書類名】明細書
【補正対象項目名】００６８
【補正方法】変更
【補正の内容】
【００６８】
また、上記各実施例では、フィン部材(６)の長尺な基盤部(７)に、この基盤部(７)と同様に長尺な平板状のフィン(８)を突設しているが、長尺な基盤部(７)に、ピン状にフィン(８)を突設しても良い。また、ピン状フィン(８)は、基盤部(７)を短尺に形成し、この基盤部(７)と同一長さでフィン(８)を突設して形成したものであっても良い。
【手続補正書】
【提出日】平成18年6月8日(2006.6.8)
【手続補正１】
【補正対象書類名】明細書
【補正対象項目名】００２８
【補正方法】変更
【補正の内容】
【００２８】
（実施例１）
不安定狭心症群（35例）、安定冠動脈疾患群（79例）の血漿プレβ1−HDL濃度および脂質マーカーを測定した。得られた測定値について、統計処理ソフト「Stat Mate III」（株式会社アトムス製）を用いてｔ検定を行った。結果を表１に示した。なお測定が可能であった例について基礎情報としてBMIおよび収縮期血圧、拡張期血圧もあわせて表１に示した。
【手続補正書】
【提出日】平成18年5月11日(2006.5.11)
【手続補正１】
【補正対象書類名】明細書
【補正対象項目名】請求項１
【補正方法】変更
【補正の内容】
【請求項１】
互いの内側面同士を対向させた状態で互いに同心的にかつ回転自在に支持された一対の入力側ディスクおよび出力側ディスクと、これら両ディスク間に挟持されるパワーローラと、前記入力側ディスクおよび前記出力側ディスクの中心軸線に対して捻れの位置にありかつ互いに同心的に設けられた一対の枢軸を中心に揺動するとともに前記パワーローラを回転自在に支持するトラニオンと、該トラニオンを前記枢軸の軸線方向に変位させる駆動装置と、前記一対の入力側ディスクおよび出力側ディスクの少なくとも一方に、前記入力側ディスクおよび前記出力側ディスクを前記中心軸線に沿って互いに接近するように押し付け力を与える押圧装置とを設けたトロイダル型無段変速機において、
前記パワーローラは前記中心軸線方向の移動を規制され、前記入力側ディスクおよび前記出力側ディスクは共に前記中心軸線方向の移動が許容されていることを特徴とするトロイダル型無段変速機。
【手続補正２】
【補正対象書類名】明細書
【補正対象項目名】００３５
【補正方法】変更
【補正の内容】
【００３５】
【課題を解決するための手段】
上記目的を達成するために、請求項１に記載のトロイダル型無段変速機は、互いの内側面同士を対向させた状態で互いに同心的にかつ回転自在に支持された一対の入力側ディスクおよび出力側ディスクと、これら両ディスク間に挟持されるパワーローラと、前記入力側ディスクおよび前記出力側ディスクの中心軸線に対して捻れの位置にありかつ互いに同心的に設けられた一対の枢軸を中心に揺動するとともに前記パワーローラを回転自在に支持するトラニオンと、該トラニオンを前記枢軸の軸線方向に変位させる駆動装置と、前記一対の入力側ディスクおよび出力側ディスクの少なくとも一方に、前記入力側ディスクおよび前記出力側ディスクを前記中心軸線に沿って互いに接近するように押し付け力を与える押圧装置とを設けたトロイダル型無段変速機において、
前記パワーローラは前記中心軸線方向の移動を規制され、前記入力側ディスクおよび前記出力側ディスクは共に前記中心軸線方向の移動が許容されていることを特徴とする。
【手続補正書】
【提出日】平成18年6月30日(2006.6.30)
【手続補正１】
【補正対象書類名】特許請求の範囲
【補正対象項目名】全文
【補正方法】変更
【補正の内容】
【特許請求の範囲】
【請求項１】
泳動槽側面に垂直に伸び、且つ泳動槽内の２つの電極とそれぞれ電気的接続を持つ２つの凸状プラグ、前記２つの凸状プラグと嵌合する凹状ソケットを備え、前記凸状プラグと前記凹状ソケットの嵌合により一体となって動作可能状態を形成する電源ユニット、前記泳動槽を覆う蓋部であって、前記電源ユニットと前記泳動槽間に前記蓋部の一部が挟み込まれた状態で介在することで電源ユニットと泳動槽内の電極とが電気的に接続した状態となる一体型簡易電気泳動装置。
【請求項２】
前記蓋部は、前記電源ユニットと結合する前記泳動槽側面に沿って侵入するように延びた縁部と、この泳動槽側面に対向する側面に把持する部分として有効な距離だけ延びた把持部を持つ請求項２に記載の一体型簡易電気泳動装置。
【請求項３】
前記蓋部の縁部には、泳動槽上部と側面に沿った角状の支点が備えられ、前記把持部を上方へ持ち上げることで、前記縁部を作用点として前記支点が、前記電源ユニットを泳動槽方向とは反対方向に押し出して前記泳動槽と電源ユニットが電気的且つ機械的に分離する請求項１、２に記載の一体型簡易電気泳動装置。  
【手続補正２】
【補正対象書類名】明細書
【補正対象項目名】０００９
【補正方法】変更
【補正の内容】
【０００９】
又、電気泳動用の蓋には、特定の方向に於ける光反射、透過機能を有する部位を設け、電源部から照射された光、レーザ、赤外光、可視光、その他、反射可能な種類の光を、
電源部と、電気泳動槽との特定の位置関係において反射させ、この反射光を、電源部内に有する受光部が受光することで、受光時はオン、受光しないときはオフといった動作を電源部がすることで、蓋が開けられる場合、泳動槽と電源部の離脱時に、自動的に電気的出力が停止することで、途中電源との接続ターミナルが表出しても安全な離脱が可能となる。
尚、光の他、磁気、絶縁スイッチ等、様々な開閉スイッチング手段が適宜選択使用される。
【手続補正書】
【提出日】平成18年6月8日(2006.6.8)
【手続補正１】
【補正対象書類名】特許請求の範囲
【補正対象項目名】全文
【補正方法】変更
【補正の内容】
【特許請求の範囲】
【請求項１】
試料の一部を撮像する撮像部と、撮像された該試料の画像の画像処理を行い試料の検査を行う検査装置であって、予め設定された検査データに基づいて検査を行う検査装置において、
上記試料を撮像視野ごとに分割した画像で取込み、
該分割した画像をつなぎ合せて１枚の画像を生成し、
該生成された１枚の画像を表示し、
該表示された画像に基づいて上記検査データの少なくとも１つを設定することを特徴とする検査データ設定方法。
【請求項２】
試料を撮像し、撮像された該試料の画像を画像処理し、該画像処理されたデータまたは上記撮像された該試料の画像の少なくともいずれかを表示し、予め設定された検査データに基づいて検査を行う検査方法において、
上記表示部に表示された画像に基づいて上記検査装置を操作し、オペレータの指示に応じて、上記検査データを作成または変更することを特徴とする検査方法。
【請求項３】
試料を撮像する撮像部と、撮像された該試料の画像を画像処理してその結果をデータとして画像処理部と、該画像処理部から出力されるデータまたは上記撮像された該試料の画像の少なくともいずれかを表示する表示部とを備え、予め設定された検査データに基づいて検査を行う検査装置において、
上記表示部に表示された画像に基づいて上記検査装置を操作する操作手段を有し、
該操作手段は、オペレータの指示に応じて、上記検査データを作成または変更することを特徴とする検査装置。
【請求項４】
請求項３記載の検査装置において、
上記操作手段は、上記試料を撮像視野ごとに分割した画像で取込み、該分割した画像をつなぎ合せて１枚の画像を生成し、該生成された１枚の画像を表示し、該表示された画像に基づいて上記検査データの少なくとも１つを設定することを特徴とする検査装置。
【手続補正２】
【補正対象書類名】明細書
【補正対象項目名】００３４
【補正方法】変更
【補正の内容】
【００３４】
次に撮像位置座標算出ステップ205 では、撮像視野それぞれのステージ座標を計算し、撮像位置移動・画像取込みステップ 207 に進む。
撮像位置移動・画像取込みステップ 207 では、試料ステージを各撮像視野の該当するステージ座標に移動して画像取込みを行い、全視野撮像判定ステップ 208 に進む。
全視野撮像判定ステップ 208 では、試料 5 全体の画像（ 即ち、全撮像視野画像）を取込んだか否かを判定する。全撮像視野画像を取り込んでいない場合は、撮像位置移動・画像取込みステップ 207 に戻る。また、全撮像視野画像を取り込んだ場合には、画像生成処理ステップ 209 に進む。
画像生成処理ステップ 209 では、取込んだ全ての画像を並べてつなぎ合せる処理を行い、試料 5 全体を合成した１枚の画像として生成する。
【手続補正書】
【提出日】平成18年2月21日(2006.2.21)
【手続補正１】
【補正対象書類名】特許請求の範囲
【補正対象項目名】全文
【補正方法】変更
【補正の内容】
【特許請求の範囲】
【請求項１】
第１部材と第２部材との間に生体関連分子を担持する生体関連分子マイクロアレイであって、
前記第１部材もしくは前記第２部材のいずれか一方において、他方の部材に対する接触面に複数の溝を並列形成して、反応領域となる空間を複数設け、当該空間の内部に生体関連分子を均等に展開してある生物関連分子マイクロアレイ。
【請求項２】
第１部材と第２部材との間に生体関連分子を担持する生体関連分子マイクロアレイであって、
前記第１部材および前記第２部材の互いの接触面に複数の溝を並列形成して、反応領域となる空間を複数設け、当該空間の内部に生体関連分子を均等に展開してある生物関連分子マイクロアレイ。
【請求項３】
第１部材と第２部材との間に生体関連分子を担持する生体関連分子マイクロアレイであって、
前記第１部材には、前記第２部材に対する接触面に複数の線形凸部を並列形成し、
前記第２部材には、前記第１部材に対する接触面に前記線形凸部と一対一に嵌合可能な複数の線形溝部を並列形成し、
前記線形凸部と前記線形溝部とを嵌合させつつ、前記第１部材と前記第２部材とを当接させたとき、前記線形凸部と前記線形溝部との間に反応領域となる空間が形成されるように構成してある生物関連分子マイクロアレイ。
【請求項４】
前記反応領域と外部とを連通可能とし、前記反応領域に試料を供給する試料供給口と反応領域から試料を回収する試料回収口とを設けてある請求項１〜３の何れか一項に記載の生体関連分子マイクロアレイ。
【請求項５】
前記第１部材および前記第２部材のうち少なくとも何れか一方を構成する基材が、ポリジメチルシロキサン、もしくは、ポリメタクリル酸メチルなど透明シリコンゴムあるいはプラスチック樹脂である請求項１〜４の何れか一項に記載の生体関連分子マイクロアレイ。
【請求項６】
生体関連分子を担持する生体関連分子マイクロアレイであって、
複数の線状反応領域を並設したマイクロアレイ本体を有する生体関連分子マイクロアレイ
【請求項７】
前記マイクロアレイ本体を構成する基材が、ポリジメチルシロキサン、もしくは、ポリメタクリル酸メチルなど透明シリコンゴムあるいはプラスチック樹脂である請求項６に記載の生体関連分子マイクロアレイ。
【手続補正２】
【補正対象書類名】明細書
【補正対象項目名】００１２
【補正方法】変更
【補正の内容】
【００１２】
すなわち、本発明を概説すれば、本発明の第１の発明は、第１部材と第２部材との間に生体関連分子を担持する生体関連分子マイクロアレイであって、
前記第１部材もしくは前記第２部材のいずれか一方において、他方の部材に対する接触面に複数の溝を並列形成して、反応領域となる空間を複数設け、当該空間の内部に生体関連分子を均等に展開したことを特徴とする。
【手続補正３】
【補正対象書類名】明細書
【補正対象項目名】００１３
【補正方法】変更
【補正の内容】
【００１３】
更に、本発明の第２の発明は、第１部材と第２部材との間に生体関連分子を担持する生体関連分子マイクロアレイであって、
前記第１部材および前記第２部材の互いの接触面に複数の溝を並列形成して、反応領域となる空間を複数設け、当該空間の内部に生体関連分子を均等に展開したことを特徴とする。
【手続補正書】
【提出日】平成18年6月7日(2006.6.7)
【手続補正１】
【補正対象書類名】明細書
【補正対象項目名】発明の名称
【補正方法】変更
【補正の内容】
【発明の名称】パチンコ機
【手続補正２】
【補正対象書類名】明細書
【補正対象項目名】特許請求の範囲
【補正方法】変更
【補正の内容】
【特許請求の範囲】
【請求項１】  球を射出する射出手段と、
該射出手段により射出される球の速度を調整する操作ハンドルと、
前記射出手段により射出された球が入る複数の入賞口と、
図柄始動口に入賞すると特別図柄を変動させ、所定時間経過で特別図柄を停止させるように表示する特別図柄表示部と、
該特別図柄表示部で停止した特別図柄の組合せにより前記複数の入賞口のうち特定の入賞口へ入る球の割合を変化させる役物起動手段と、
前記入賞口に入った球数に応じた数の球を払い出しする払い出し機構と、
を備えてなるパチンコ機において、
前記特別図柄表示部に複数の特別図柄を表示させると共に、抽選処理によって決定された停止順序で前記複数の特別図柄を停止させる手段と、
前記特別図柄表示部に表示される図柄の停止を、前記停止順序に基づき停止する図柄毎に予告を行う停止予告手段を備えてなることを特徴とするパチンコ機。
【請求項２】  前記請求項１記載のパチンコ機であって、
前記停止予告手段は、
前記特別図柄表示部に図柄停止までの時間を表示して図柄の停止を予告することを特徴とするパチンコ機。
【請求項３】  前記請求項１記載のパチンコ機であって、
前記停止予告手段は、
前記スピーカからの音声により図柄の停止を予告することを特徴とするパチンコ機。
【請求項４】  前記請求項１記載のパチンコ機であって、
前記停止予告手段は、
前記操作ハンドルを振動させ、振動回数の差異により図柄の停止を予告することを特徴とするパチンコ機。
【請求項５】  前記請求項１記載のパチンコ機であって、
前記停止予告手段は、
前記複数の特別図柄表示部の配列に応じた配列となるように複数の表示灯を設け、該複数の表示灯を順次点滅させることにより図柄の停止を予告することを特徴とするパチンコ機。
【手続補正３】
【補正対象書類名】明細書
【補正対象項目名】０００１
【補正方法】変更
【補正の内容】
【０００１】
【発明の属する技術分野】
本発明は、複数の図柄を組み合わせてなる特別図柄を表示する特別図柄表示部を有するパチンコ機に関する。
【手続補正４】
【補正対象書類名】明細書
【補正対象項目名】０００９
【補正方法】変更
【補正の内容】
【０００９】
【課題を解決するための手段】
上記課題を解決するため、本発明は以下のような特徴を有する。
上記請求項１記載の発明は、球を射出する射出手段と、
該射出手段により射出される球の速度を調整する操作ハンドルと、
前記射出手段により射出された球が入る複数の入賞口と、
図柄始動口に入賞すると特別図柄を変動させ、所定時間経過で特別図柄を停止させるように表示する特別図柄表示部と、
該特別図柄表示部で停止した特別図柄の組合せにより前記複数の入賞口のうち特定の入賞口へ入る球の割合を変化させる役物起動手段と、
前記入賞口に入った球数に応じた数の球を払い出しする払い出し機構と、
を備えてなるパチンコ機において、
前記特別図柄表示部に複数の特別図柄を表示させると共に、抽選処理によって決定された停止順序で前記複数の特別図柄を停止させる手段と、
前記特別図柄表示部に表示される図柄の停止を、前記停止順序に基づき停止する図柄毎に予告を行う停止予告手段を備えてなることを特徴とするものである。
【手続補正５】
【補正対象書類名】明細書
【補正対象項目名】００１４
【補正方法】変更
【補正の内容】
【００１４】
従って、上記請求項５記載の発明によれば、複数の特別図柄表示部の配列に応じた配列となるように複数の表示灯を設け、複数の表示灯を順次点滅させることにより図柄の停止を予告するため、どの図柄がいつ停止するのかが分かり、遊技者の不満を解消することができる。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００５９
【補正方法】削除
【補正の内容】
【手続補正書】
【提出日】平成18年5月12日(2006.5.12)
【手続補正１】
【補正対象書類名】明細書
【補正対象項目名】特許請求の範囲
【補正方法】変更
【補正の内容】
【特許請求の範囲】
【請求項１】
普通電動役物、チュウリップ式役物、又は連動役物を２個以上備え、作動した役物への入賞が他の役物の作動の起因となるよう役物の作動条件を組み合わせた大当り処理を行う弾球遊技機において、
前記役物の作動条件が満足されることにより最初に作動した役物の作動開始から最後に作動する役物の作動終了までに最大限得られる賞球数を予め設定し、
前記役物の種別毎に一律に定められた個々の役物の作動条件に基き前記最大限得られる賞球数を設定することなく、
前記大当り処理に係る全ての役物への総賞球数が前記設定された最大限の賞球数に達すると前記大当り処理を終了させることを特徴とする弾球遊技機。
【請求項２】
請求項１に記載の弾球遊技機において、
所定の開始条件が成立すると、最初の役物の作動を開始させる役物作動開始手段と、
前記大当り処理に係る全ての役物への総入賞数又は総賞球数を検出する検出手段と、
該総入賞数又は総賞球数が所定の上限値に達したことを終了条件として、前記最後の役物の作動を終了させる役物作動終了手段と、
を備えたことを特徴とする弾球遊技機。
【手続補正２】
【補正対象書類名】明細書
【補正対象項目名】０００６
【補正方法】変更
【補正の内容】
【０００６】
【課題を解決するための手段】
前記課題を解決するため請求項１に記載の発明は、普通電動役物、チュウリップ式役物、又は連動役物を２個以上備え、作動した役物への入賞が他の役物の作動の起因となるよう役物の作動条件を組み合わせた大当り処理を行う弾球遊技機において、前記役物の作動条件が満足されることにより最初に作動した役物の作動開始から最後に作動する役物の作動終了までに最大限得られる賞球数を予め設定し、前記役物の種別毎に一律に定められた個々の役物の作動条件に基き前記最大限得られる賞球数を設定することなく、前記大当り処理に係る全ての役物への総賞球数が前記設定された最大限の賞球数に達すると前記大当り処理を終了させることを特徴とする弾球遊技機である。これにより、前記課題が好適に解決できる。
【手続補正３】
【補正対象書類名】明細書
【補正対象項目名】０００８
【補正方法】変更
【補正の内容】
【０００８】
請求項２に記載の発明は、請求項１に記載の弾球遊技機において、所定の開始条件が成立すると、最初の役物の作動を開始させる役物作動開始手段と、前記大当り処理に係る全ての役物への総入賞数又は総賞球数を検出する検出手段と、該総入賞数又は総賞球数が所定の上限値に達したことを終了条件として、前記最後の役物の作動を終了させる役物作動終了手段と、を備えたことを特徴とする弾球遊技機である。これにより請求項１と同様の課題が達成できる上、上限値に達した場合には強制的に終了できる等の利点がある。
【手続補正４】
【補正対象書類名】明細書
【補正対象項目名】００１０
【補正方法】変更
【補正の内容】
【００１０】
遊技球が図柄作動口に入賞又は図柄作動通過口を通過することに起因して所定の図柄を可変表示させる可変表示手段と、該可変表示手段に表示される所定の確定表示図柄に対応させて、請求項１に記載の前記最大限得られる賞球数又は請求項２に記載の前記総入賞数又は総賞球数を設定することが好ましい。これにより請求項１、２と同様の課題が達成できる。
【手続補正５】
【補正対象書類名】明細書
【補正対象項目名】００１２
【補正方法】変更
【補正の内容】
【００１２】
前記最初の役物の作動の起因となる入賞口又は通過口を２個以上設け、該各々の入賞口又は通過口毎に、請求項１に記載の前記最大限得られる賞球数又は請求項２に記載の前記総入賞数又は総賞球数を設定することが好ましい。これにより請求項１、２と同様の課題を達成できる上、各々の入賞口又は通過口について賞球数の差をつけることで一層趣向性が高まる。
【手続補正書】
【提出日】平成18年6月7日(2006.6.7)
【手続補正１】
【補正対象書類名】明細書
【補正対象項目名】特許請求の範囲
【補正方法】変更
【補正の内容】
【特許請求の範囲】
【請求項１】 遊技球を通す供給側球通路と、
該供給側球通路から受け入れた遊技球を送出する送出手段と、
少なくとも第１の回転方向に回転することによって、上記送出手段を駆動する回転駆動手段と
上記回転駆動手段が第１の回転方向に回転駆動された場合に、該送出手段によって送出された遊技球を第１の球通路に導くと共に、該第１の回転方向に回転駆動されていない場合は、上記遊技球を第２の球通路に導く球通路切換手段とを備えることを特徴とする遊技球供給装置。
【請求項２】 上記球通路切換手段を上記回転駆動手段が第１の回転方向に回転駆動された場合には、上記送出手段によって送出された遊技球を第１の球通路に導くと共に、第２の回転方向に回転駆動された場合には、上記遊技球を第２の球通路に導くとしたことを特徴とする請求項１記載の遊技球供給装置。
【請求項３】 上記送出手段を該供給側球通路から受け入れた遊技球を回転運動によって送出する回転羽としたことを特徴とする請求項１、又は請求項２記載の遊技球供給装置。
【請求項４】 上記回転駆動手段を第１の回転方向に回転した場合には、そのまま上記回転羽を回転駆動すると共に、第２の回転方向に回転した場合には、回転方向を反転して、上記回転羽を回転駆動するとしたことを特徴とする請求項３記載の遊技球供給装置。
【請求項５】 上記回転羽をスプロケット状の歯車とした請求項３、又は請求項４記載の遊技球供給装置。
【請求項６】 上記第１の球通路を貸し玉を通す球通路とし、上記第２の球通路を賞球を通す球通路としたことを特徴とする請求項１ないし請求項５記載の遊技球供給装置。
【請求項７】 上記球通路切換手段を上記回転駆動手段が第１の回転方向に回転駆動された場合に作動する第１方向作動機構と、該第１方向作動機構が作動することによって第１の球通路に遊技球を導く弁、又は案内通路とにしたことを特徴とする請求項１ないし請求項６記載の遊技球供給装置。
【請求項８】 上記球通路切換手段を上記回転駆動手段が第１の回転方向に回転駆動された場合に作動する第１方向作動機構と、上記回転駆動手段が第２の回転方向に回転駆動された場合に作動する第２方向作動機構と、上記第１方向作動機構が作動することによって第１の球通路に遊技球を導くと共に、上記第２方向作動機構が作動することによって第２の球通路に遊技球を導く弁、又は案内通路とにしたことを特徴とする請求項２ないし請求項６記載の遊技球供給装置。
【請求項９】  上記第１方向作動機構を上記回転駆動手段が第１の回転方向に回転した場合に、駆動力を伝達する第１方向伝達手段と、
該第１方向伝達手段から受けた駆動力によって、弁、又は案内通路を第１の球通路に遊技球が導かれる位置に移動させる第１方向移動手段とにしたことを特徴とする請求項７、又は請求項８記載の遊技球供給装置。
【請求項１０】  上記第１方向作動機構を上記回転駆動手段が第１の回転方向に回転した場合に、駆動力を伝達する第１方向伝達手段と、
該第１方向伝達手段から受けた駆動力によって、弁、又は案内通路を第１の球通路に遊技球が導かれる位置に移動させる第１方向移動手段とし、
上記第２方向作動機構を上記回転駆動手段が第２の回転方向に回転した場合に、駆動力を伝達する第２方向伝達手段と、
該第２方向伝達手段から受けた駆動力によって、上記弁、又は上記案内通路を第２の球通路に遊技球が導かれる位置に移動させる第２方向移動手段とにしたことを特徴とする請求項８記載の遊技球供給装置。
【手続補正２】
【補正対象書類名】明細書
【補正対象項目名】００２３
【補正方法】変更
【補正の内容】
【００２３】
請求項７の発明の遊技球供給装置は、上記球通路切換手段を上記回転駆動手段が第１の回転方向に回転駆動された場合に作動する第１方向作動機構と、該第１方向作動機構が作動することによって第１の球通路に遊技球を導く弁、又は案内通路とにしたことを特徴とする請求項１ないし請求項６記載の遊技球供給装置を要旨とする。
【手続補正３】
【補正対象書類名】明細書
【補正対象項目名】００２５
【補正方法】変更
【補正の内容】
【００２５】
請求項８の発明の遊技球供給装置は、上記球通路切換手段を上記回転駆動手段が第１の回転方向に回転駆動された場合に作動する第１方向作動機構と、上記回転駆動手段が第２の回転方向に回転駆動された場合に作動する第２方向作動機構と、上記第１方向作動機構が作動することによって第１の球通路に遊技球を導くと共に、上記第２方向作動機構が作動することによって第２の球通路に遊技球を導く弁、又は案内通路とにしたことを特徴とする請求項２ないし請求項６記載の遊技球供給装置を要旨とする。
【手続補正４】
【補正対象書類名】明細書
【補正対象項目名】００２７
【補正方法】変更
【補正の内容】
【００２７】
請求項９の発明の遊技球供給装置は、上記第１方向作動機構を上記回転駆動手段が第１の回転方向に回転した場合に、駆動力を伝達する第１方向伝達手段と、該第１方向伝達手段から受けた駆動力によって、弁、又は案内通路を第１の球通路に遊技球が導かれる位置に移動させる第１方向移動手段とにしたことを特徴とする請求項７、又は請求項８記載の遊技球供給装置を要旨とする。
【手続補正５】
【補正対象書類名】明細書
【補正対象項目名】００２９
【補正方法】変更
【補正の内容】
【００２９】
請求項１０の発明の遊技球供給装置は、上記第１方向作動機構を上記回転駆動手段が第１の回転方向に回転した場合に、駆動力を伝達する第１方向伝達手段と、該第１方向伝達手段から受けた駆動力によって、弁、又は案内通路を第１の球通路に遊技球が導かれる位置に移動させる第１方向移動手段とし、上記第２方向作動機構を上記回転駆動手段が第２の回転方向に回転した場合に、駆動力を伝達する第２方向伝達手段と、該第２方向伝達手段から受けた駆動力によって、上記弁、又は上記案内通路を第２の球通路に遊技球が導かれる位置に移動させる第２方向移動手段とにしたことを特徴とする請求項８記載の遊技球供給装置を要旨とする。
【手続補正６】
【補正対象書類名】明細書
【補正対象項目名】００４３
【補正方法】変更
【補正の内容】
【００４３】
歯車３７は、図３に示すように、回転軸７９の一端部８１に取り付けられている。回転軸７９と歯車３７とは固定されており、回転軸７９は、本体５３に回転自在に取り付けられている。回転軸７９は、他端８３に回転羽３５が取付られている。回転軸７９と回転羽３５とは、固定されている。従って、歯車３７の回転は、回転羽３５に伝えられる。
【手続補正書】
【提出日】平成18年5月23日(2006.5.23)
【手続補正１】
【補正対象書類名】明細書
【補正対象項目名】００４２
【補正方法】変更
【補正の内容】
【００４２】
情報端子板６１の設定値信号端子には、遊技コンピュータ６３から出力された設定値信号が供給されている。設定値信号は、大当たりの抽選確率を予め設定するための確率設定スイッチ７１の設定位置を示す。設定値信号は、確率設定スイッチ７１が「１」にされている場合には、「１」信号状態になり、「２」にされている場合は、「２」信号状態になり、「３」にされている場合には、「３」信号状態になる。従って、情報表示装置１は、パチンコ機３の大当たりの抽選確率の設定値を入力することが可能になる。
【手続補正書】
【提出日】平成18年5月25日(2006.5.25)
【手続補正１】
【補正対象書類名】明細書
【補正対象項目名】特許請求の範囲
【補正方法】変更
【補正の内容】
【特許請求の範囲】  
【請求項１】患者の居所に設置する端末装置により患者からの通信を受信する受信手段と、前記患者を識別する患者識別手段と、識別された前記患者に対して対応可能な医師を選択する医師選択手段と、前記患者の医療情報データを前記医師に送信する送信手段、転送手段、とを有する医療情報通信システムであって、前記送信手段が、前記医師選択手段にて選択された医師への連絡先を前記患者へ送信するものであり、前記転送手段は、前記患者からの通信を前記医師選択手段にて選択された医師へ転送するものであり、
前記端末装置は、第１の回線番号を記憶する第１記憶手段と、接続先からの送信データを記憶する第２記憶手段と、回線の接続・切断処理およびデータ送受信処理を行う回線制御手段とを備え、前記回線制御手段は、操作者の操作により、前記第１記憶手段に記憶された回線番号に発呼処理を行い、また、接続先からの送信データを前記第２記憶手段へ送り、前記第２記憶手段に記憶された回線番号に発呼処理を行うことを特徴とする２４時間連携体制の医療情報通信システム。
【請求項２】 前記医師選択手段が、前記患者の担当医師が対応可能か否かを判別し、前記担当医師が対応可能な場合は該担当医師を選択し、前記担当医師が対応不可の場合は対応可能な第２の医師を選択することを特徴とする請求項１に記載の医療情報通信システム。
【手続補正書】
【提出日】平成18年6月2日(2006.6.2)
【手続補正１】
【補正対象書類名】明細書
【補正対象項目名】特許請求の範囲
【補正方法】変更
【補正の内容】
【特許請求の範囲】
【請求項１】
複数の小画像を縦横方向に略均等配置した医用画像を入力する入力手段と、
前記小画像の配置を検出する検出手段と、
前記配置に基づき、前記小画像を個々に切り出す切出手段とを有することを特徴とする画像処理装置。
【請求項２】
さらに、前記医用画像を二値画像にする二値化手段を有し、
前記検出手段は、前記二値画像の画素値の分散に基づき前記配置を検出することを特徴とする請求項1に記載された画像処理装置。
【請求項３】
前記検出手段は、前記二値画像から前記小画像を含む画像領域を検出し、前記画像領域を縦および横に区切るボーダ領域を検出することにより、前記配置を検出することを特徴とする請求項1または請求項2に記載された画像処理装置。
【請求項４】
さらに、前記ボーダ領域が囲むフレーム領域の縦横比H/Wと所定値βを比較して、H/W＜βの場合は縦方向に隣接するフレーム領域を結合するためにそれらフレーム領域間のボーダ領域を破棄し、H/W＞1/βの場合は横方向に隣接するフレーム領域を結合するためにそれらフレーム領域間のボーダ領域を破棄する補正手段を有することを特徴とする請求項3に記載された画像処理装置。
【請求項５】
前記切出手段は、切り出した小画像の画素値の分散が小さい場合は、その小画像を破棄することを特徴とする請求項1から請求項4の何れかに記載された画像処理装置。
【請求項６】
複数の小画像を縦横方向に略均等配置した医用画像を画像処理する装置の画像処理方法であって、
前記医用画像を入力し、
前記小画像の配置を検出し、
前記配置に基づき、前記小画像を個々に切り出すことを特徴とする画像処理方法。
【請求項７】
コンピュータを制御して、請求項6に記載された画像処理を実現するコンピュータプログラムが記録されたことを特徴とするコンピュータが読み取り可能な記録媒体。
【手続補正２】
【補正対象書類名】明細書
【補正対象項目名】０００６
【補正方法】変更
【補正の内容】
【０００６】
本発明は、複数の小画像を縦横方向に略均等配置した医用画像から小画像を正確、容易かつ短時間に切り出すことを目的とする。
【手続補正３】
【補正対象書類名】明細書
【補正対象項目名】０００８
【補正方法】変更
【補正の内容】
【０００８】
本発明にかかる画像処理装置は、複数の小画像を縦横方向に略均等配置した医用画像を入力する入力手段と、前記小画像の配置を検出する検出手段と、前記配置に基づき、前記小画像を個々に切り出す切出手段とを有することを特徴とする。
【手続補正４】
【補正対象書類名】明細書
【補正対象項目名】０００９
【補正方法】変更
【補正の内容】
【０００９】
本発明にかかる画像処理方法は、複数の小画像を縦横方向に略均等配置した医用画像を画像処理する装置の画像処理方法であって、前記医用画像を入力し、前記小画像の配置を検出し、前記配置に基づき、前記小画像を個々に切り出すことを特徴とする。
【手続補正５】
【補正対象書類名】明細書
【補正対象項目名】００４５
【補正方法】変更
【補正の内容】
【００４５】
【発明の効果】
以上説明したように、本発明によれば、複数の小画像を縦横方向に略均等配置した医用画像から小画像を正確、容易かつ短時間に切り出すことができる。
【手続補正書】
【提出日】平成18年2月2日(2006.2.2)
【手続補正１】
【補正対象書類名】明細書
【補正対象項目名】特許請求の範囲
【補正方法】変更
【補正の内容】
【特許請求の範囲】
【請求項１】  Ｃn（但し、ｎは幾何学的に球状炭素化合物を形成し得る整数である。）で表されるフラーレン分子を含有する煤からなり、非共有電子対を有する原子と水素原子とを分子内に含む有機化合物を光照射下に分解するのに用いられる光化学触媒。
【請求項２】  前記フラーレン分子がｎ≧６０の偶数の炭素数を有し、前記煤中に２〜５重量％含有されている、請求項１に記載した光化学触媒。
【請求項３】  可視光線及び／又は紫外光線の照射下に触媒活性を呈し、水性媒体中で安定である、請求項１に記載した光化学触媒。
【請求項４】  常温、常圧下で前記有機化合物を分解する、請求項１に記載した光化学触媒。
【請求項５】  前記有機化合物の分解時に、その酸化を促進する酸化還元電位を示す助触媒が添加される、請求項１に記載した光化学触媒。
【請求項６】  前記有機化合物の分解時に還元による水素の発生を促進させる物質が添加されている、請求項１に記載した光化学触媒。
【請求項７】  前記フラーレン分子を含有する煤を懸濁した液、又は多孔質体へ含浸させた形態をなす、請求項１に記載した光化学触媒。
【請求項８】  Ｃn（但し、ｎは幾何学的に球状炭素化合物を形成し得る整数である。）で表されるフラーレン分子を含有する煤を光化学触媒とし、この光化学触媒の存在下に、非共有電子対を有する原子と水素原子とを分子内に含む有機化合物を光照射下に分解する光化学分解方法。
【請求項９】  前記フラーレン分子がｎ≧６０の偶数の炭素数を有し、前記煤中に２〜５重量％含有されている、請求項８に記載した光化学分解方法。
【請求項１０】  可視光線及び／又は紫外光線の照射下に水性媒体中で前記有機化合物を分解する、請求項８に記載した光化学分解方法。
【請求項１１】  常温、常圧下で前記有機化合物を分解する、請求項８に記載した光化学分解方法。
【請求項１２】  分解時の前記有機化合物の酸化を促進する酸化還元電位を示す助触媒を添加する、請求項８に記載した光化学分解方法。
【請求項１３】  前記有機化合物の分解時に還元による水素の発生を促進させる物質を前記光化学触媒に添加する、請求項８に記載した光化学分解方法。
【請求項１４】  前記フラーレン分子を含有する煤を懸濁した液、又は多孔質体へ含浸させた形態をなす前記光化学触媒を使用する、請求項８に記載した光化学分解方法。
【請求項１５】  負極と電解質と正極との積層構造からなる燃料電池において、Ｃn （但し、ｎは幾何学的に球状炭素化合物を形成し得る整数である。）で表されるフラーレン分子を含有する煤からなる光化学触媒が配置され、非共有電子対を有する原子と水素原子とを分子内に含む有機化合物を前記光化学触媒に接触させた状態で光照射して前記有機化合物を分解し、これによって生成した水素を前記負極に供給するように構成したことを特徴とする燃料電池。
【請求項１６】  前記光化学触媒が前記負極に接して配置されている、請求項１５に記載した燃料電池。
【請求項１７】  前記有機化合物を分解させる光化学分解部で発生させた水素が前記負極に導かれる、請求項１５に記載した燃料電池。
【請求項１８】  前記フラーレン分子を含有する煤を懸濁した液、又は多孔質体へ含浸させた形態をなす前記光化学触媒が使用される、請求項１５に記載した燃料電池。
【請求項１９】  発生した水素を水素イオンとして負極に供給すると共に電子を電流として取出し、かつ、前記水素イオンを電解質を通して正極に導き、ここで酸素を前記電子により還元して前記水素イオンと反応させ、水を生成させる、請求項１５に記載した燃料電池。
【請求項２０】  前記フラーレン分子がｎ≧６０の偶数の炭素数を有し、前記煤中に２〜５重量％含有されている、請求項１５に記載した燃料電池。
【請求項２１】  可視光線及び／又は紫外光線の照射下に水性媒体中で前記有機化合物を分解する、請求項１５に記載した燃料電池。
【請求項２２】  常温、常圧下で前記有機化合物を分解する、請求項１５に記載した燃料電池。
【請求項２３】  分解時の前記有機化合物の酸化を促進する酸化還元電位を示す助触媒が前記光化学触媒に添加されている、請求項１５に記載した燃料電池。
【請求項２４】  前記有機化合物の分解時に、還元による水素の発生を促進させる物質が前記光化学触媒に添加されている、請求項１５に記載した燃料電池。
【手続補正書】
【提出日】平成18年6月6日(2006.6.6)
【手続補正１】
【補正対象書類名】明細書
【補正対象項目名】特許請求の範囲
【補正方法】変更
【補正の内容】
【特許請求の範囲】
【請求項１】  ノズル穴が、流入口から噴射口に向けて断面積が漸次小さくなるテーパー形状のテーパー周面部と、このテーパー周面部の端部から前記噴射口に向けてストレートに貫通したストレート周面部とを有する形状に形成されていることを特徴とするノズル。
【手続補正書】
【提出日】平成18年6月5日(2006.6.5)
【手続補正１】
【補正対象書類名】明細書
【補正対象項目名】特許請求の範囲
【補正方法】変更
【補正の内容】
【特許請求の範囲】
【請求項１】 吸着材を成形してなる多孔質吸着材層が３層以上同心円状に積層された積層体を有する濾過フィルタであって、各多孔質吸着材層の平均孔径が、被濾過液側に隣接する多孔質吸着材層の平均孔径よりも小さいことを特徴とする濾過フィルタ。
【請求項２】 前記多孔質吸着材層が、吸着材の粉体及び／又は粒状体を結合剤で結合することによって形成された多孔質成形体であることを特徴とする請求項１記載の濾過フィルタ。
【請求項３】 前記吸着材が、活性炭であることを特徴とする請求項１または請求項２いずれか一項に記載の濾過フィルタ。
【請求項４】 前記吸着材が、繊維状活性炭の不織布であることを特徴とする請求項１記載の濾過フィルタ。
【請求項５】 銀が前記多孔質吸着材層に付着及び／又は混合されてなることを特徴とする請求項１ないし４いずれか一項に記載の濾過フィルタ。
【請求項６】 前記結合剤が、超高分子量ポリエチレンであることを特徴とする請求項２記載の濾過フィルタ。
【請求項７】 請求項１ないし６いずれか一項に記載の濾過フィルタを具備してなることを特徴とする浄水器。
【手続補正書】
【提出日】平成17年11月10日(2005.11.10)
【手続補正１】
【補正対象書類名】明細書
【補正対象項目名】特許請求の範囲
【補正方法】変更
【補正の内容】
【特許請求の範囲】
【請求項１】
複数の図柄が特定の組み合わせで揃う当選表示態様が出現したとき当たりになる図柄合わせゲームを所定の始動条件の成立に基づいて実行し、その実行結果が当たりのとき、遊技者に有利な特別価値を付与する遊技機において、
任意の図柄を表示し得る可変表示領域を複数備えた可変表示手段と、前記始動条件が成立したとき前記可変表示手段上で前記図柄合わせゲームを実行する図柄合わせゲーム実行手段と、図柄分離手段とを備え、
前記図柄合わせゲームで登場する図柄の中に、前記特定の組み合わせを構成する複数の図柄の中の２以上のものが重なり合った多重図柄を設定し、
前記図柄合わせゲーム実行手段は、前記可変表示手段上で所定期間にわたって図柄を変動表示した後、各可変表示領域に通常の図柄または前記多重図柄を順次停止表示することを前記図柄合わせゲームとして実行するものであり、
前記図柄分離手段は、前記図柄合わせゲームの実行過程で前記多重図柄が出現したとき、当該多重図柄を各図柄ごとに分離して複数の可変表示領域に表示し、１つの多重図柄から１または２以上のリーチ状態または前記当選停止態様を形成するものであることを特徴とする遊技機。
【請求項２】
複数の図柄が特定の組み合わせで揃う当選表示態様が出現したとき当たりになる図柄合わせゲームを所定の始動条件の成立に基づいて実行し、その実行結果が当たりのとき、遊技者に有利な特別価値を付与する遊技機において、
任意の図柄を表示し得る可変表示領域を複数備えた可変表示手段と、前記始動条件が成立したとき前記可変表示手段上で前記図柄合わせゲームを実行する図柄合わせゲーム実行手段と、前記当選表示態様が揃ったか否かを判定する当選判定手段とを備え、
前記図柄合わせゲームで登場する図柄の中に、前記特定の組み合わせを構成する複数の図柄の中の２以上のものが重なり合った多重図柄を設定し、
前記図柄合わせゲーム実行手段は、前記可変表示手段上で所定期間にわたって図柄を変動表示した後、各可変表示領域に通常の図柄または前記多重図柄を順次停止表示することを前記図柄合わせゲームとして実行するものであり、
前記当選判定手段は、前記図柄合わせゲームの実行過程で前記多重図柄が出現したとき、当該多重図柄をそれに含まれる複数の図柄が前記当選表示態様の一部または全部を成すように一度に揃ったものとして取り扱うことを特徴とする遊技機。
【請求項３】
前記当選表示態様は、同一図柄が一のライン上に所定の複数個揃うものであり、
前記多重図柄は、２以上の同一図柄が重なり合ったものであり、
前記当選判定手段は、前記多重図柄が出現したとき、前記多重図柄を通るそれぞれのライン上において、前記多重図柄をそれに含まれる複数の同一図柄が揃ったものとして取り扱うことを特徴とする請求項２に記載の遊技機。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】